(57)【要約】【課題】荷台の高さの異なる貨物車両が到着しても、作業ステージの作業床の一部を昇降させることにより、作業員が貨物車両の荷台からスムーズに作業ステージ上へ乗り移り、荷下ろしすることができる足場台車および作業ステージを提供する。【解決手段】１個の枠体とその接地面に設けられる車輪からなる基台と、その上にそれぞれ伸縮部材を介して独立して高さ調節可能な作業床の複数個を水平方向に備えることを特徴とする足場台車と、この足場台車を水平方向に複数台連結してなる作業ステージ。【選択図】図３
2014034856.tif 000002
【特許請求の範囲】
【請求項１】
１個の枠体とその接地面に設けられる車輪からなる基台と、その上にそれぞれ伸縮部材を介して独立して高さ調節可能な作業床を複数個水平方向に備えることを特徴とする足場台車。
【請求項２】
伸縮部材がＸ字形のパンタグラフであることを特徴とする、請求項１に記載の足場台車。
【請求項３】
作業床に手摺が取り付けられていることを特徴とする、請求項１または２に記載の足場台車。
【請求項４】
請求項１から３までのいずれかに記載の足場台車を水平方向に複数台連結してなる作業ステージ。
【請求項５】
隣接する足場台車の基台の間を連結部材で連結することを特徴とする、請求項４に記載の作業ステージ。
【請求項６】
隣接する足場台車の作業床の長辺同士及び／又は短辺同士を直接に又は布板を介して向かい合わせることを特徴とする、請求項４または５に記載の作業ステージ。
【請求項７】
隣接する足場台車の作業床の向かい合う長辺又は短辺を構成する管材のそれぞれに、布板の両端に取り付けられた掴み金具を掴ませることによって、隣接する足場台車の作業床の長辺同士及び／又は短辺同士を布板によって連結することを特徴とする、請求項４から６までのいずれかに記載の作業ステージ。
【請求項８】
隣接する足場台車の作業床の向かい合う長辺又は短辺の両端部の間をそれぞれ連結管で連結し、これらの連結管のそれぞれに、布板の両端に取り付けられた掴み金具を掴ませることによって、隣接する足場台車の作業床の間に布板を設置することを特徴とする、請求項４から６までのいずれかに記載の作業ステージ。
【請求項９】
作業床と布板を合わせた作業台の四囲の少なくとも一部に手摺を設置したことを特徴とする、請求項４から８までのいずれかに記載の作業ステージ。
【発明の詳細な説明】
【技術分野】
【０００１】
本発明は、足場台車および足場台車を水平方向に複数台連結してなる作業ステージに関する。
【背景技術】
【０００２】
従来から、内装及び外装工事等の作業をするために、高さ可変な作業床を上部に備え、水平方向に移動可能な足場台車が用いられてきた。そして、この足場台車を複数台を所定場所まで水平方向に移動させ、その場所で水平方向に連結固定した後に、各足場台車の作業床のそれぞれを所定高さまで伸張し固定することによって、面一の作業ステージを形成することもなされてきた。所定場所の所定高さにおいて、内装及び外装工事等の作業をすることができる。このようにして形成された作業ステージは、建物の内装及び外装工事等の足場として使用するだけでなく、屋内外のイベント等の舞台としても使用することができる。
【０００３】
また、この作業ステージは、複数台の足場台車の間を直接連結するだけでなく、足場板や連結板を介して足場台車を複数台連結することもなされている。その結果、より広い作業面積の作業床を有する作業ステージを形成することも可能になっている。
【０００４】
このような足場台車の水平方向の移動と固定に関しては、通常は、足場台車の接地面にブレーキロック付き車輪を備えることによってなされる。そして、垂直方向の伸縮と固定に関しては、折り畳み可能なＸ字形のパンタグラフの上に作業床を設置してそのパンタグラフを上下に伸縮し固定することによってなされることが多い。
【０００５】
特許文献１には、接地面にブレーキロック付き車輪を備える矩形の基台フレーム（枠体）の上に、パンタグラフを介して、１個の作業床を設置してなる足場台車が開示されている。そのパンタグラフは伸縮と固定ができるものであり、そのパンタグラフを手動で上下に伸縮することによって作業床の昇降を可能とし、そしてその作業床の高さを溝型の昇降ストッパーによって段階的に固定することが可能である。ここには、この足場台車の間に足場板や連結板を介して足場台車を複数台連結することによって、広い作業面積の作業床を有する作業ステージを形成することができることも開示されている。
【０００６】
また、特許文献２には、所定場所まで水平方向に移動させ、その場所で固定した後に、所定高さまで足場台車を伸張し、その高さを固定することができる足場台車の複数台を、直接又は布板を介して連結することで、広い作業面積の作業床を有する作業ステージを形成することができることも開示されている。
【先行技術文献】
【特許文献】
【０００７】
【特許文献１】特開平４−６４６６３号公報
【特許文献２】特開２０１０−３７７６９号公報
【発明の概要】
【発明が解決しようとする課題】
【０００８】
引用文献１および２に記載された足場台車は、その複数台を直接に又は布板（足場板）や連結板を介して、水平方向に連結することによって、面一の作業ステージを形成することができる。
【０００９】
このようにして形成された作業ステージは、上述したとおり、建物の内装及び外装工事等の足場に使用されるだけでなく、屋内外のイベント等の舞台や貨物車両からの荷降ろし用の作業台としても使用される。
【００１０】
したがって、上記引用文献１および２に記載された足場台車から形成される作業ステージの高さレベルを貨物車両の荷台の高さレベルに合わせれば、作業ステージと貨物車両の荷台が面一になるから、作業員は作業ステージに横付けした貨物車両の荷台から安全かつスムーズに乗り移り、荷下ろしすることができる。
【００１１】
しかしながら、貨物車両の路面から荷台までの高さは車両によって異なるから、作業ステージと貨物車両の荷台を面一にするためには、荷台の高さの異なる貨物車両が到着する都度に、この足場台車から形成される作業ステージの高さレベルを、貨物車両の荷台の高さレベルに合わせるという作業が必要となる。また、天井の仕上工事の場合や梁等により頭上の高さが変わる場合には、無理な作業姿勢を強いられないために作業ステージの一部の作業床の高さレベルを最適な作業レベルに合わせるという作業が必要となる。
【００１２】
ところが、複数台の足場台車の作業床を連結したままの状態で、作業ステージの作業床を昇降させるためには高価な連動装置を組み込むか、または複数の作業者が同時に手動操作する必要があるし、作業ステージの形状や作業面積によっては手動操作が困難な場合もある。
【００１３】
そして、作業者１名で手動操作することによって作業床を昇降させることができる場合であっても、昇降の都度に、作業床の間に架け渡した足場板等を一旦取外して、それぞれの足場台車での作業床の昇降操作が完了した後に、作業床の間に足場板を再度架け渡すという手間が掛かる。
【００１４】
本発明の目的は、このような問題を解決するためのものであり、作業状況に応じて作業床の昇降を容易に行うことができ、また、高さレベルの異なる作業床を複数段備える作業ステージを形成することができる足場台車およびこの足場台車を水平方向に複数台連結してなる作業ステージを提供することである。
【課題を解決するための手段】
【００１５】
本発明者らは、荷台の高さの異なる貨物車両が到着しても、作業員が貨物車両の荷台からスムーズに作業ステージ上へ乗り移り、荷下ろしすることができる足場台車および作業ステージを開発するため、種々検討を重ねた。その結果、次の(a)〜(f)の知見を得た。
(a) 荷台の高さの異なる貨物車両が到着した都度に、複数台の足場台車を連結したままの状態で作業ステージの作業床の全体を昇降させるためには、高価な連動装置を組み込むか、または、複数の作業者が同時に手動操作をすることが必要となる。しかしながら、いずれもコスト面から引き合わない。また、作業ステージの形状や作業面積によっては手動操作自体が困難な場合もある。
【００１６】
(b) 従来の足場台車から形成される作業ステージは、その作業床を面一にして広い面積を確保することを主眼としていた。しかし、その作業床を面一にすることにこだわらず、作業床の高さレベルを複数形成できれば、到着する予定の貨物車両のそれぞれの荷台の高さレベルに合わせて複数の作業床の高さレベルを選択できるため、荷台の高さの異なる貨物車両が到着した都度に作業ステージの作業床の全体を同時に昇降させる必要がなくなることを着想した。また、想定しない高さレベルの荷台の貨物車両が到着しても、そのときに作業ステージの一部の作業床の高さレベルだけを、その貨物車両の荷台の高さレベルに合わせればよい。このようにすれば、荷台の高さの異なる貨物車両が到着しても、作業床の一部と貨物車両の荷台とが常に面一になるから、作業員が作業ステージに横付けした貨物車両の荷台からスムーズに乗り移り、荷下ろしすることができる。
【００１７】
(c) そして、作業床の高さレベルを複数有する作業ステージを形成するためには、作業ステージを形成する足場台車毎に作業床の高さレベルを可変とするのではなく、１台の足場台車のなかで作業床の高さレベルを可変とするのがよいことが分かった。
【００１８】
というのは、足場台車毎に作業床の高さレベルを可変とすると、作業ステージ形成後に作業員が作業床の間を移動するときに、足場台車の間を移動することになるが、足場台車間の連結が直接であると布板や連結板を介しているとを問わず、異なる足場台車間を作業員が移動する際には、安定性および安全性の確保のために作業速度が落ちることになる。特に、高さレベルの異なる作業床の間の移動には困難を伴うことになる。
【００１９】
これに対して、１台の足場台車のなかで作業床の高さレベルを可変とすると、作業員は同じ足場台車内で移動することになるから、作業速度が落ちることはない。また、高さレベルの異なる作業床の間の移動であっても、１台の足場台車の中で階段状に設置された作業床の上を移動することになるから、作業員は安定かつ安全に作業床間を容易に移動することができる。
【００２０】
(d) １台の足場台車のなかで作業床の高さレベルを可変とするためには、１個の枠体とその接地面に設けられる車輪からなる基台の上に、それぞれ伸縮部材を介して独立して高さ調節可能な作業床の複数個を水平方向に備える足場台車とすればよい。伸縮部材としては特に限定はしないが、Ｘ字形のパンタグラフを用いるのが好ましい。このパンタグラフを枠体の両縁にそれぞれ垂直に立設し、その上に作業床を設置することによって、高さレベルが可変な作業床が１個形成されることになる。なお、Ｘ字形のパンタグラフを伸縮後に所定高さで固定するためには、例えば、溝形昇降ストッパーを用いることができる。そして、この高さレベルが可変な作業床に隣接して、別個に独立して高さレベルが可変な作業床を同様にして設置すればよい。１台の足場台車において設置される高さレベルが可変な作業床の数は２個以上であればよく、特にその上限を規定するものではないが、余り多くなると作業性が悪くなるから、５個程度までとするのが好ましい。
【００２１】
また、枠体の形状も格別に限定するものではないが、上面が矩形であって、高さレベルが可変な作業床を複数設置できるだけの面積を有するものが好ましい。枠体の接地面に設けられる車輪は、足場台車を所定場所まで水平方向に移動させるものであるが、移動後はその場所で足場台車を固定することができるように、ブレーキロック付き車輪とするのが好ましい。ブレーキロック付き車輪に加えて、アウトリガーで固定することがさらに好ましい。
【００２２】
そして、それぞれの作業床には作業員の安全を確保するために、取り外し可能な手摺を取り付けることができる。
【００２３】
(e) 次に、この足場台車を水平方向に複数台連結することによって、作業面積の広い作業ステージを形成することになる。作業ステージの設置場所に複数台の足場台車を移動させ、その場所で連結作業をして作業ステージを形成してもよいし、あらかじめ別の場所で連結作業をして形成された作業ステージを所定の設置場所に移動させてもよい。
【００２４】
複数台の足場台車を水平方向に連結する手段としては、隣接する足場台車の枠体の間を連結部材で連結すればよい。このとき、足場台車は、その枠体の縁部（長辺）同士を連結してもよいし、その枠体の端部（短辺）同士を連結してもよい。複数台の足場台車を水平方向に連結する手段としては、隣接する足場台車の作業床の縁部（長辺）同士を連結してもよいし、端部（短辺）同士を連結してもよい。このとき、この足場台車を複数台連結する際に、足場台車間を直接に連結してもよいし、連結部材を介して連結してもよい。連結部材としては、たとえば布板を挙げることができる。布板を連結部材として使用する場合には、隣接する足場台車の作業床の向かい合う長辺又は短辺を構成する管材のそれぞれに、布板の両端に取り付けられた掴み金具を掴ませることによって、隣接する足場台車の作業床の長辺同士及び／又は短辺同士を布板によって連結するのが好ましい。あるいは、隣接する足場台車の作業床の向かい合う長辺又は短辺の両端部の間をそれぞれ連結管で連結し、これらの連結管のそれぞれに、布板の両端に取り付けられた掴み金具を掴ませることによって、隣接する足場台車の作業床の間に布板を設置してもよい。
【００２５】
このときの布板は、仮設足場等の足場板として知られる布板（床付き布枠ともいう。）を流用することができる。仮設足場等の足場板として知られる布板をそのまま流用してもよいが、この連結式足場台車の作業床の長辺又は短辺の長さに合わせて作成してもよい。仮設足場等の足場板として知られる布板の幅は、通常、２４０ｍｍ幅と５００ｍｍ幅の２種類が用いられている。それぞれ、小アンチ（小布板ともいう。）及び大アンチ（大布板ともいう。）と呼称される。これらの布板を１枚又は２枚以上並列して用いるのが好ましい。なお、足場板の表面には、作業員が通行中や作業中に滑らないように、エンボス加工等を施すのが好ましい。
【００２６】
(f) なお、このようにして形成された作業ステージは、各作業床の間に布板を介する場合も含めて、その作業床と布板を合わせた作業台の四囲に手摺を設置することができるので、作業員が作業台の上から転落することを防止することができる。
【００２７】
本発明に係る足場台車は、これらの知見に基づいて完成したものであり、本発明は次の(1)〜(3)の足場台車および次の(4)〜(9)の作業ステージを要旨とする。
【００２８】
(1) １個の枠体とその接地面に設けられる車輪からなる基台と、その上にそれぞれ伸縮部材を介して独立して高さ調節可能な作業床の複数個を水平方向に備えることを特徴とする足場台車。
【００２９】
(2) 伸縮部材がＸ字形のパンタグラフであることを特徴とする、上記(1)の足場台車。
【００３０】
(3) 作業床に手摺が取り付けられていることを特徴とする、上記(1)または(2)の足場台車。
【００３１】
(4) 上記(1)〜(3)のいずれかに記載の足場台車を水平方向に複数台連結してなる作業ステージ。
【００３２】
(5) 隣接する足場台車の基台の間を連結部材で連結することを特徴とする、上記(4)の作業ステージ。
【００３３】
(6) 隣接する足場台車の作業床の長辺同士及び／又は短辺同士を直接に又は布板を介して向かい合わせることを特徴とする、上記(4)または(5)の作業ステージ。
【００３４】
(7) 隣接する足場台車の作業床の向かい合う長辺又は短辺を構成する管材のそれぞれに、布板の両端に取り付けられた掴み金具を掴ませることによって、隣接する足場台車の作業床の長辺同士及び／又は短辺同士を布板によって連結することを特徴とする、上記(4)〜(6)のいずれかの作業ステージ。
【００３５】
(8) 隣接する足場台車の作業床の向かい合う長辺又は短辺の両端部の間をそれぞれ連結管で連結し、これらの連結管のそれぞれに、布板の両端に取り付けられた掴み金具を掴ませることによって、隣接する足場台車の作業床の間に布板を設置することを特徴とする、上記(4)〜(6)のいずれかの作業ステージ。
【００３６】
(9) 作業床と布板を合わせた作業台の四囲の少なくとも一部に手摺を設置したことを特徴とする、上記(4)〜(8)のいずれかの作業ステージ。
【発明の効果】
【００３７】
本発明に係る足場台車によれば、作業状況に応じて作業床の昇降が容易に行え、高さレベルの異なる作業床を複数段備える作業ステージを形成することができる。よって、本発明に係る作業ステージに、荷台の高さの異なる貨物車両が到着しても、作業ステージの作業床の一部を昇降させることにより、作業員が貨物車両の荷台からスムーズに作業ステージ上へ乗り移り、荷下ろしすることができる。
【図面の簡単な説明】
【００３８】
【図１】本発明に係る足場台車の一例であり、作業床を左右に備えている。左方の作業床はＸ形パンタグラフを収縮させた状態であり、そして、右方の作業床はＸ形パンタグラフを伸張させた状態を示す。
【図２】本発明に係る作業ステージの１例であり、高さ可変な作業床を２個備えてなる足場台車を布板を介して２台連結して形成したものである。
【図３】図３は、本発明に係る作業ステージの他の例であり、高さ可変な作業床を３個備えてなる足場台車を縦に２台連結して形成したものである。
【発明を実施するための最良の形態】
【００３９】
以下、図面を用いて、本発明に係る足場台車および作業ステージを説明する。なお、本発明は以下の実施例に限定されるものではない。
【実施例１】
【００４０】
図１は、本発明に係る足場台車の一例であり、作業床を左右に備えている。左方の作業床はＸ形パンタグラフを収縮させた状態であり、そして、右方の作業床はＸ形パンタグラフを伸張させた状態を示す。(a)が平面図、(b)が正面図、そして、(c)が手摺りを省略した右側面図である。
【００４１】
この足場台車は、１個の枠体５とその接地面に設けられるブレーキロック付き車輪６からなる基台と、その上にそれぞれＸ字形のパンタグラフ５０を介して独立して高さ調節可能な作業床６０の２個を水平方向に備える。枠体５は上面が矩形であって、２つの縁の両端部および２つの縁の各中央部には２本の支柱７とつなぎ材とが溶接により一体となった建枠が立設され建枠同士は交差筋違により連結され、その建枠の支柱７の下端部にはブレーキロック付き車輪６が取り付けられている。また、四隅の支柱７の側面には、先端にジャッキベース７５を備えたアウトリガー７６が取り付けられ、各支柱７を軸として水平方向に回動しうるように設置されている。枠体５と作業床６０の間には、２本の斜材を交叉し軸着してなるＸ字形のパンタグラフ５０が枠体５０の両縁にそれぞれ垂直に立設されている。左方の作業床はＸ形パンタグラフ５０を収縮させた状態であり、そして、右方の作業床はＸ形パンタグラフ５０を伸張させた状態であり、いずれも溝形昇降ストッパー５１で固定されている。また、それぞれの作業床６０の四隅には手摺り柱６２が立設され、そして、手摺り柱６２の間には手摺りバー６３が取り付けられている。
【００４２】
このように足場台車は複数の部材を連結して組み立てられているため、足場台車を使用しないときには部材ごとにバラして運搬・保管することができ、さらに部材が破損した場合も最小限の部材のみ交換することができる。
【００４３】
また、枠体の形状は建枠を交差筋違により連結したものの例を挙げたが、これに限定するものではなく、支柱とつなぎ材をくさび金具などにより連結させたものでもよい。
【実施例２】
【００４４】
図２は、本発明に係る作業ステージの一例であり、高さ可変な作業床を２個備えてなる足場台車を布板を介して２台連結して形成したものである。(a)が上面図、(b)が正面図、そして、(c)が手摺りを省略した右側面図である。
【００４５】
この足場台車は、実施例１で示したものであり、１個の枠体５とその接地面に設けられるブレーキロック付き車輪６からなる基台と、その上にそれぞれＸ字形のパンタグラフ５０を介して独立して高さ調節可能な作業床６０の２個を水平方向に備える。そして、枠体５は上面が矩形であって、その２つの縁の両端部および２つの縁の各中央部に支柱７が立設され、その下端部にはブレーキロック付き車輪６が取り付けられている。また、四隅の支柱７の側面には、先端にジャッキベース７５を備えたアウトリガー７６が取り付けられ、各支柱７を軸として水平方向に回動しうるように設置されている。枠体５と作業床６０の間には、２本の斜材を交叉し軸着してなるＸ字形のパンタグラフ５０が枠体５０の両縁にそれぞれ垂直に立設されている。左方の作業床はＸ形パンタグラフ５０を収縮させた状態であり、そして、右方の作業床はＸ形パンタグラフ５０を伸張させた状態であり、いずれも溝形昇降ストッパー５１で固定されている。
【００４６】
ここでは、この足場台車の２台が、足場台車の枠体５の縁部（長辺）において布板８５を介して連結されることによって、作業ステージが形成されている。ここでは、布板８５の両端に取り付けられた掴み金具８６を、隣接する足場台車の作業床の向かい合う長辺を構成する管材のそれぞれに掴ませることによって、布板８５が取り付けられている。また、それぞれの作業床６０の四隅には手摺り柱６２が立設され、そして、手摺り柱６２の間には手摺りバー６３が取り付けられている。
【００４７】
このようにして、高さレベルの異なる作業床を備える作業ステージを形成することができる。
【実施例３】
【００４８】
図３は、本発明に係る作業ステージの他の例であり、高さ可変な作業床を３個備えてなる足場台車を縦に２台連結して形成したものである。(a)が上面図、(b)が正面図、そして、(c)が右側面図である。なお、図面中の細数字は設備の寸法（単位：ｍｍ）を示す。
【００４９】
この足場台車は、１個の枠体５とその接地面に設けられるブレーキロック付き車輪６からなる基台と、その上にそれぞれＸ字形のパンタグラフ５０を介して独立して高さ調節可能な作業床６０の３個を水平方向に備える。枠体５は上面が矩形であって、その２つの縁の両端部および２つの縁を３等分した場所に支柱７が立設され、その下端部にはブレーキロック付き車輪６が取り付けられている。
【００５０】
ここでは、この足場台車の２台が、足場台車の枠体５の端部（短辺）で連結部材８１によって連結されており、さらに、足場台車の作業床６０の端部（短辺）同士が布板８５を介して連結されることによって、作業床６個分の長さを有する長大な作業ステージが形成されている。そして、この作業ステージの両端部には、それぞれ、地上から作業床６０へ昇降することのできる階段９１が設置されている。
【００５１】
左右の足場台車とも、枠体５とそれぞれの作業床６０の間には、２本の斜材を交叉し軸着してなるＸ字形のパンタグラフ５０が枠体５の両縁にそれぞれ垂直に立設されている。左側の足場台車においては、左方および中央の作業床６０の下のＸ形パンタグラフ５０は少し収縮させた状態であり、そして、右方の作業床６０の下のＸ形パンタグラフ５０は伸張させた状態であり、いずれも溝形昇降ストッパー５１で固定されている。そして、右側の足場台車においては、３個の作業床６０の下のＸ形パンタグラフ５０はいずれも伸張させた状態であり、いずれも溝形昇降ストッパー５１で固定されている。また、それぞれの作業床６０の四隅には手摺り柱６２が立設され、そして、手摺り柱６２の間には手摺りバー６３が取り付けられている。
【００５２】
そして、高さレベルが最も高い作業床６０には貨物車両９０が横付けされているが、貨物車両の荷台は高さレベルが最も高い作業床６０と面一であるので、作業員は貨物車両の荷台からスムーズに作業ステージの作業床６０の上へ乗り移り、荷下ろしすることができる。
【産業上の利用可能性】
【００５３】
本発明に係る足場台車によれば、高さレベルの異なる作業床を複数段備える作業ステージを形成することができる。そして、本発明に係る作業ステージによれば、荷台の高さの異なる貨物車両が到着しても、作業ステージの作業床の一部を昇降させることにより、作業員は貨物車両の荷台からスムーズに作業ステージ上へ乗り移り、荷下ろしすることができる。
【符号の説明】
【００５４】
５  枠体
６  ブレーキロック付き車輪
７  支柱
５０  Ｘ字形のパンタグラフ
５１  溝形昇降ストッパー５１
６０  作業床
６２  手摺り柱
６３  手摺りバー
７５  ジャッキベース
７６  アウトリガー
８１  連結部材
８５  布板
８６  掴み金具
９０  貨物車両
９１  階段
【図１】
2014034856.tif 000003
【図２】
2014034856.tif 000004
【図３】
2014034856.tif 000005